(57)【特許請求の範囲】
【請求項１】
下方にフランジ部が一体に形成された樹脂製の操作軸と、操作軸の円柱状中間部を円形貫通孔で回転可能に嵌合保持すると共に、円形貫通孔下方に設けた大径円形孔部内に操作軸の円柱状中間部の外周が一定の隙間をあけて挿通される金属製の軸受と、所定幅の弾性金属薄板を操作軸の円柱状中間部を囲む多角形状に折り曲げて形成され、その平面部分が操作軸の円柱状中間部の外周面に、折り曲げた角の部分が軸受の大径円形孔部の内周面にそれぞれ圧接するように装着されて、操作軸の回転操作時に操作軸の外周面が上記平面部分に対して回転摺動するばね体と、操作軸の回転操作に伴うフランジ部の回転によって、フランジ部下面の可動接点部と軸受下方の接点基板上の固定接点部が弾接摺動して所定の電気信号を生成する電気信号発生部からなる車載用回転操作型電子部品。
【請求項２】
下方に非円形断面の係合部を有する棒状の操作軸と、操作軸を嵌合保持する円形貫通孔の下方が大径円形孔部となった金属製の軸受と、中央の係合孔部に操作軸下方の係合部が共廻り可能に結合され、上部が軸受の大径円形孔部内に一定の隙間をあけて嵌挿されている円筒部で下方の樹脂製のフランジ部を有する樹脂成形体と、所定幅の弾性金属薄板を樹脂成形体の円筒部を囲む多角形状に折り曲げて形成され、その平面部分が樹脂成形体の円筒部の外周面に、折り曲げた角の部分が軸受の大径円形孔部の内周面にそれぞれ圧接するように装着されて、操作軸の回転操作時に樹脂成形体の円筒部が上記平面部分に対して回転摺動するばね体と、操作軸の回転操作に伴う樹脂成形体の回転によって、フランジ部下面の可動接点部と軸受下方の接点基板上の固定接点部が弾接摺動して所定の電気信号を生成する電気信号発生部からなる車載用回転操作型電子部品。
【請求項３】
弾性金属薄板を多角形状に折り曲げ形成されたばね体の平面部分で圧接される樹脂製の断面円形部分の外周上に潤滑用グリースが配されている請求項１または２記載の車載用回転操作電子部品。
【発明の詳細な説明】
【０００１】
【発明の属する技術分野】
本発明は、操作軸の回転操作の際に、所定の高い回転トルク力によって作動させることができる車載用回転操作型電子部品に関するものである。
【０００２】
【従来の技術】
近年、車載用の電子機器、特に車載用のオーディオ機器においては多機能化が急激に進展しており、車の前面パネルの限られたスペースの中に多くの機能を凝縮しなければならないため、各機能の調整および選択用として用いられる可変抵抗器・エンコーダ・ロータリスイッチ等の車載用回転操作型電子部品に対して小型化の要望が高まっており、部品メーカーは様々な手法を用いてこれを対応している。
【０００３】
そして、通常、車載用の電子機器に搭載される車載用回転操作型電子部品は、操作軸に装着された操作ツマミを手探りで探して操作することも多く、不用意に指等が当たった場合または車の振動等により操作軸が回転して誤信号を発生させないようにするため、小形化された電子部品であっても操作軸の回転トルクを高く設定する必要があった。
【０００４】
以下に、このような状来の車載用回転操作型電子部品において、最も汎用的に使用されている操作軸の回転トルク発生機構部について、図面を用いて説明する。
【０００５】
図５は従来の車載用回転操作型電子部品の側面断面図、図６は同分解斜視図であり、同図において、１は上方の操作部１Ａと一体に形成されたフランジ部１Ｂを下方に備えた樹脂製の操作軸で、その円柱状中間部１Ｃが金属製の軸受２の円形貫通孔２Ａ内に回転可能に嵌合保持されている。
【０００６】
そして、軸受２の下方には操作軸１のフランジ部１Ｂを内包すると共に、フランジ部１Ｂ中央下面に設けた位置決め部１Ｄを孔部３Ａに回転可能に保持する樹脂製の箱形ケース３が配設されている。
【０００７】
また、この箱形ケース３内のフランジ部１Ｂ下面には、弾性金属からなる可動接点４が装着され、この可動接点４は箱形ケース３の凹部底面に形成された抵抗皮膜等からなる固定接点部５に弾接して両者で接点部を構成すると共に、箱形ケース３の側方から固定接点部５と電気的に導通している端子６が外方に突出しており、これらで電気信号発生部７を構成している。
【０００８】
そして、フランジ部１Ｂの上面外周部１Ｅには、操作軸１の回転角度範囲を規制するためのストッパー１Ｆが形成されており、所定の角度までフランジ部１Ｂが回転すると、ストッパー１Ｆが軸受２の下方に設けた突起部２Ｂに当接するようになっている。
【０００９】
また、８は箱形ケース３の上方から固定される金属製のカバーで、このカバー８と箱形ケース３の上面の間に挟持された弾性金属板製のばね部材９の弾性脚部９Ａが操作軸１のフランジ部１Ｂの上面中間段部１Ｇ上に弾接している。
【００１０】
このように構成された車載用回転操作型電子部品の動作は、操作軸１の上方の操作部１Ａを所定の角度範囲内で回転操作すると、フランジ部１Ｂが回転してその下面に装着された可動接点４が固定接点部５上を弾接摺動し所定の電気信号が生成され、その信号を複数の端子６から取り出すものである。
【００１１】
このときに、操作軸１は、フランジ部１Ｂの上面中間段部１Ｇがばね部材９の弾性脚部９Ａにより下方に押し付けられて回転することとなるため、操作軸１の所定の高さの回転トルクが得られるものであった。
【００１２】
【発明が解決しようとする課題】
しかしながら上記従来の車載用回転操作型電子部品においては、弾性金属板製のばね部材９の弾性脚部９Ａを樹脂製の操作軸１のフランジ部１Ｂの上面中間段部１Ｇに弾接させて操作軸１の高い回転トルクを発生させる構造であり、車載用回転操作型電子部品の外形が小形化されるにつれて、ばね部材９の弾性脚部９Ａの径等も小さくせざるを得ず、それに伴って弾性脚部９Ａによる押し付け力も弱くなるので、一般的には、ばね部材９の材質や材厚等を変更してばね部材９の弾接力を大きくするように対応しているが、これにも限界があり、また大きなばね圧力を実現することができても、ばね部材９が弾接する樹脂製のフランジ部１Ｂに局部的に大きな圧力が加わることになるために、回転操作中の摩擦面の摩耗が大きくなる等の課題があった。
【００１３】
本発明は、このような従来の課題を解決するものであり、高くて安定した回転トルクを得ることができる小形の車載用回転操作型電子部品を提供することを目的とする。
【００１４】
【課題を解決するための手段】
上記課題を解決するために本発明の車載用回転操作型電子部品は、操作軸が回転可能に嵌合している軸受の円形貫通孔の下方に設けた大径円形孔部内に、所定幅の弾性金属薄板を多角形状に折り曲げて形成したばね体を、その平面部分が操作軸の円柱状中間部の外周面に、また折り曲げた角の部分が軸受の大径円形孔部の内周面に圧接するように装着することにより、操作軸の回転操作時の操作軸の外周面がばね体の平面部分に対して回転摺動するように構成するものである。
【００１５】
これにより、操作軸は全周に亘ってばね体の平面部分で均等に押圧された状態で回転するため、安定した所定の高さの操作軸の回転トルクを得ることができると共に摩耗も少なく、また、操作軸と軸受の挿通保持部分に回転トルク発生機構部を構成したために製品外形の小さい車載用回転操作型電子部品を得ることができる。
【００１６】
【発明の実施の形態】
本発明の請求項１に記載の発明は、下方にフランジ部が一体に形成された樹脂製の操作軸と、操作軸の円柱状中間部を円形貫通孔で回転可能に嵌合保持すると共に、円形貫通孔下方に設けた大径円形孔部内に操作軸の円柱状中間部の外周が一定の隙間をあけて挿通される金属製の軸受と、所定幅の弾性金属薄板を操作軸の円柱状中間部を囲む多角形状に折り曲げて形成され、その平面部分が操作軸の円柱状中間部の外周面に、折り曲げた角の部分が軸受の大径円形孔部の内周面にそれぞれ圧接するように装着されて、操作軸の回転操作時に操作軸の外周面が上記平面部分に対して回転摺動するばね体と、操作軸の回転操作に伴うフランジ部の回転によって、フランジ部下面の可動接点部と軸受下方の接点基板上の固定接点部が弾接摺動して所定の電気信号を生成する電気信号発生部からなる車載用回転操作型電子部品としたものであり、操作軸の回転トルク発生機構部を操作軸と軸受の挿通保持部に構成して、ばね体の平面部分を硬度の低い樹脂製の操作時に広い面積でしかも複数箇所で当接させて、操作軸に対して全周に亘って均等なばね力を加えるようにしたため、長期間に亘って操作軸を回転操作した場合等にもその摺動部分の削れが少なく、常に高くて安定した操作軸の回転トルクが得られると共に、製品の外形を容易に小形化することもでき、さらに操作軸にフランジ部を一体形成した構成であるため、操作軸を樹脂成形等によって容易に大量生産することができて、高トルクを備えた小形の車載用回転操作型電子部品を安価に生産できるという作用を有する。
【００１７】
請求項２に記載の発明は、下方に非円形断面の係合部を有する棒状の操作軸と、操作軸を嵌合保持する円形貫通孔の下方が大径円形孔部となった金属製の軸受と、中央の係合孔部に操作軸下方の係合部が共廻り可能に結合され、上部が軸受の大径円形孔部内に一定の隙間をあけて嵌挿されている円筒部で下方の樹脂製のフランジ部を有する樹脂成形体と、所定幅の弾性金属薄板を樹脂成形体の円筒部を囲む多角形状に折り曲げて形成され、その平面部分が樹脂成形体の円筒部の外周面に、折り曲げた角の部分が軸受の大径円形孔部の内周面にそれぞれ圧接するように装着されて、操作軸の回転操作時に樹脂成形体の円筒部が上記平面部分に対して回転摺動するばね体と、操作軸の回転操作に伴う樹脂成形体の回転によって、フランジ部下面の可動接点部と軸受下方の接点基板上の固定接点部が弾接摺動して所定の電気信号を生成する電気信号発生部からなる車載用回転操作型電子部品としたものであり、操作軸の回転トルク発生機構部を操作軸と共廻りするように係合された樹脂成形体の円筒部と軸受の間に構成し、ばね体の平面部分を硬度の低い樹脂成形体の円筒部に広い面積でしかも複数箇所で当接させて、樹脂成形体の円筒部に全周に亘って均等なばね力を加えるようにしたため、長期間に亘って操作軸を回転操作して樹脂成形体を回転させた場合等にもその摺動部分の削れが少なく、樹脂成形体を介して常に高くて安定した操作軸の回転トルクを得られる外形が小さい車載用回転操作型電子部品を容易に実現できると共に、操作軸部の形状指定に対して、棒状の操作軸を変えるのみで即座に対応することができる上、必要な形状の操作軸を切削加工にて製作することにより、特殊な操作軸の形状であっても柔軟に対応することができるという作用を有する。
【００１８】
請求項３に記載の発明は、請求項１または請求項２記載による発明において、弾性金属薄板を多角形状に折り曲げ形成されたばね体の平面部分で圧接される樹脂製の断面円形部分の外周上に潤滑用グリースが配されているものであり、操作軸を滑らかにしかも安定して回転させることができると共に、ばね体の平面部による圧接箇所の削れも少なくできるので、より長期間に亘って安定した回転トルクを得られるものを容易に実現できるという作用を有する。
【００１９】
以下、本発明の実施の形態について、図１〜図４を用いて説明する。
なお、従来の技術の項で説明した構成と同一構成の部分には同一符号を付して、詳細な説明を省略する。
【００２０】
（実施の形態１）
図１は本発明の第１の実施の形態による車載用回転操作型電子部品の側面断面図、図２は要部である操作軸の回転トルク発生機構部の分解斜視図、図３は図１のＸ−Ｘ線における断面図であり、同図に示すように、樹脂製の操作軸１は上方の操作部１Ａと一体に形成されたフランジ部１Ｂを下方に備え、フランジ部１Ｂ中央下面に設けた位置決め部１Ｄが箱形ケース３の孔部３Ａに回転可能に保持されていると共に、その円柱状中間部１Ｃの上方部分は軸受２０の円形貫通孔２０Ａ内に嵌合保持されていることは従来の技術の場合と同じであるが、この操作軸１の円柱状中間部１Ｃと軸受２０との間に操作軸１の回転トルク発生機構部２１を構成したものとなっている。
【００２１】
つまり、その回転トルク発生機構部２１は、軸受２０の円形貫通孔２０Ａ下方の大径円形孔部２２内に、所定幅の弾性金属薄板を操作軸１の円柱状中間部１Ｃを囲むように多角形状に折り曲げて形成された平板ばね２３を位置決め装着し、その中に外周に潤滑グリースを塗布した円柱状中間部１Ｃが挿通されたものとなっており、平板ばね２３の平面部分２３Ａは操作軸１の円柱状中間部１Ｃの外周面に、また折り曲げた角の部分２３Ｂは軸受２０の大径円形孔部２２の内周面に、一定の圧力で圧接されている。
【００２２】
そして、フランジ部１Ｂ下面に装着固定された弾性薄板金属製の可動接点４と、可動接点４が弾接する箱形ケース３の凹部底面に設けられた固定接点部５と、固定接点部５と電気的に導通し、箱形ケース３から突出している端子６により電気信号発生部７を構成していることは従来の技術の場合と同じである。
【００２３】
また、金属製のカバー８が箱形ケース３の上方に固定されていること、さらに、操作軸１の回転操作時に、フランジ部１Ｂの上面外周部１Ｅに形成されたストッパー１Ｆが軸受２０下方に設けた突起部２０Ｂに当接することにより、操作軸１の回転操作角度範囲を規制する構成となっていることも従来の技術の場合と同じである。
【００２４】
上記構成の車載用回転操作型電子部品の動作は、操作軸１の操作部１Ａを回転角度の範囲内で回転操作すると、操作部１Ａと一体形成されたフランジ部１Ｂの回転に伴ってフランジ部１Ｂ下面に装着された可動接点４が固定接点部５上を弾接摺動して所定の信号が生成され、その信号を複数の端子６から取り出すことができることも従来の技術の場合と同じであるが、この時に平板ばね２３の平面部分２３Ａは操作軸１の円柱状中間部１Ｃの外周面に、また各々の角の部分２３Ｂが軸受２０の大径円形孔部２２の内周面にそれぞれ圧接しているために、操作軸１は所定の高い回転トルクでなければ回転しないようになっている。
【００２５】
そして、操作軸１が回転する際には、上記平板ばね２３のばね力による摩擦抵抗力が弱い方すなわち操作軸１の円柱状中間部１Ｃの外周と平板ばね２３の平面部分２３Ａの間が回転摺動することとなるが、平板ばね２３の平面部分２３Ａと操作軸１の円柱状中間部１Ｃの外周は広い面積でしかも操作軸１の全周に亘って複数の箇所で圧接摺動すると共に圧接する部分に潤滑用グリースが塗布されているために、回転トルクムラを少なくでき、しかも、長期間に亘って操作軸１を回転操作した場合等にもその摩擦部分の削れも少なく、常に高くて安定した操作軸１の回転トルクを得られる上、操作軸１と軸受２０との挿通保持部に回転トルク発生機構部２１を構成したため、小さい外形の車載用回転操作型電子部品を容易に実現でき、またその回転トルクの高さは、平板ばね２３の材質や材厚または折り曲げ数を変えることにより、適宜設定することができるものである。
【００２６】
そして、その組み立て方法は、まず、平板ばね２３を軸受２０の大径円形孔部２２内に装着し、その後に円柱状中間部１Ｃの外周に潤滑用グリースを塗布した操作軸１を平板ばね２３の中に圧入するのみで良いため、製造工数も少なくて済むと共に、本実施の形態による車載用回転操作型電子部品の操作軸１はフランジ部１Ｂを一体に形成している樹脂製のものであるため、操作軸１の先端の操作部１Ａが標準的な形状のものに対して樹脂成形等で効率良くしかも大量に操作軸１を生産することができ、これにより汎用の操作軸形状で高くて安定した回転トルクを得られる小形の車載用回転操作型電子部品を安価に生産できることは勿論である。
【００２７】
（実施の形態２）
本実施の形態による車載用回転操作型電子部品は、実施の形態１によるものに対して、操作軸と可動接点を装着するためのフランジ部を別部材により構成したものであるため、その異なる部分を中心に説明する。
【００２８】
図４（ａ）は本発明の第２の実施の形態による車載用回転操作型電子部品の側面断面図、（ｂ）は同図（ａ）のＹ−Ｙ線における断面図であり、同図に示すように、棒状の操作軸２４は、円柱状中間部２４Ａの上方が軸受２５の円形貫通孔２５Ａに嵌合されて円形貫通孔２５Ａの下面でＣリング２６によって回転可能に保持されると共に、操作軸２４の下方に設けた非円形断面の係合部２４Ｂは樹脂成形体２７の中央の係合孔部２７Ａに共廻り可能に係合されている。
【００２９】
そして、この樹脂成形体２７の上方に設けられた円筒部２７Ｂは、軸受２５の円形貫通孔２５Ａの下方の大径円形孔部２５Ｂ内に所定の隙間を有するように挿通され、その隙間に実施の形態１に説明したものと同様の平板ばね２３が装着されており、これらで回転トルク発生機構部２８を構成しているものである。
【００３０】
つまり、本実施の形態による回転トルク発生機構部２８の構成は、所定幅の弾性金属薄板を樹脂成形体２７の円筒部２７Ｂを囲むように多角形状に折り曲げて形成された平板ばね２３を、軸受２５の大径円形孔部２５Ｂに位置決め装着し、その中に外周に潤滑用グリースを塗布した円筒部２７Ｂが挿通されたものとなっており、平板ばね２３の平面部分２３Ａは円筒部２７Ｂの外周面に、また折り曲げた角の部分２３Ｂは軸受２５の大径円形孔部２５Ｂの内周面に一定の圧力で圧接されている。
【００３１】
そして、樹脂成形体２７のフランジ部２７Ｃの下面には、可動接点４が装着されて、これと対向する箱形ケース３の凹部底面に設けた固定接点部５上に弾接しており、この固定接点部５と導通し箱形ケース３から突出している端子６により電気信号発生部７を構成していることは実施の形態１の場合と同じである。
【００３２】
さらに金属カバー８等のその他の構成部分も、実施の形態１の場合と同じであるために、説明を省略する。
【００３３】
この車載用回転操作型電子部品の動作についても、操作軸２４を回転操作すると、操作軸２４の係合部２４Ｂが係合孔部２７Ａに挿入されることによって結合された樹脂成形体２７が共廻りして、その下方に配設された電気信号発生部７にて電気信号が生成され、その信号を端子６から導出できること、また操作軸２４の回転操作の際に、操作時２４の周囲に設けた回転トルク発生機構部２８によって、操作軸２４は所定の高い回転トルクでないと回転しないようになっていることも実施の形態１の場合と同じである。
【００３４】
そして、本実施の形態による回転トルク発生機構部２８においても、平板ばね２３の平面部分２３Ａは、樹脂成形体２７の潤滑用グリースが塗布された円筒部２７Ｂ外周に広い面で、その角の部分２３Ｂは軸受２５に複数の箇所で当接している構成であるため、操作軸２４の回転操作の際には、上記平板ばね２３のばね力による摩擦抵抗力が弱い方すなわち樹脂成形体２７の円筒部２７Ｂと平板ばね２３の平面部分２３Ａの間が回転摺動することも、実施の形態１の場合と同じであり、操作軸２４の回転トルクムラが少なく、かつ高くて安定した回転トルクを得られる小形の車載用回転操作型電子部品を容易に実現でき、その回転トルクの大きさも上記平板ばね２３の材質や形状等を変えることによって適宜その大きさを設定することができるものである。
【００３５】
なお、本実施の形態による車載用回転操作型電子部品は、操作軸２４と樹脂成形体２７を別部品で構成しているために、操作軸２４の先端形状等について指定されたときに、切削加工等にて棒状の操作時２４のみを製作して迅速に対応できることは勿論である。
【００３６】
【発明の効果】
以上のように本発明によれば、操作軸と軸受の間または操作軸と共廻り可能に係合された樹脂成形体と軸受の間に、平板状のばね体を装着したのみの簡素な構造で回転トルク発生機構部を構成できるために、常に高くて安定した操作軸の回転トルクが得られる小形の車載用回転操作型電子部品を容易に実現できるという優位な効果が得られる。
【図面の簡単な説明】
【図１】本発明の第１の実施の形態による車載用回転操作型電子部品の側面断面図
【図２】同要部である操作軸の回転トルク発生機構部の分解斜視図
【図３】同図１のＸ−Ｘ線における断面図
【図４】（ａ）本発明の第２の実施の形態による車載用回転操作型電子部品の側面断面図
（ｂ）同（ａ）のＹ−Ｙ線における断面図
【図５】従来の車載用回転操作型電子部品の側面断面図
【図６】同分解斜視図
【符号の説明】
１，２４  操作軸
１Ａ  操作部
１Ｂ，２７Ｃ  フランジ部
１Ｃ，２４Ａ  円柱状中間部
１Ｄ  位置決め部
１Ｅ  上面外周部
１Ｆ  ストッパー
３  箱形ケース
３Ａ  孔部
４  可動接点
５  固定接点部
６  端子
７  電気信号発生部
８  カバー
２０，２５  軸受
２０Ａ，２５Ａ  円形貫通孔
２０Ｂ  突起部
２１，２８  回転トルク発生機構部
２２，２５Ｂ  大径円形孔部
２３  平板ばね
２３Ａ  平面部分
２３Ｂ  角の部分
２４Ｂ  係合部
２６  Ｃリング
２７  樹脂成形体
２７Ａ  係合孔部
２７Ｂ  円筒部
【図１】
0003690111.tif 000002
【図２】
0003690111.tif 000003
【図３】
0003690111.tif 000004
【図４】
0003690111.tif 000005
【図５】
0003690111.tif 000006
【図６】
0003690111.tif 000007